(57)【要約】【課題】狭額縁の液晶表示パネルにバックライトを固定することを目的とする。【解決手段】液晶表示装置は、液晶表示パネル１０と、バックライト２２と、を有する。バックライト２２は、液晶表示パネル１０と重なるように配置される導光板２４と、液晶表示パネル１０と導光板２４の間に配置された光学シート２６と、導光板２４を内側に収納して液晶表示パネル１０の周縁部に対向するフレーム３０と、液晶表示パネル１０の周縁部とフレーム３０とを固定する接着剤４６と、を含む。フレーム３０は、液晶表示パネル１０の周縁部に対向する上面３２と外側面３６とに貫通する凹部３８を有する。凹部３８に接着剤４６が配置されている。【選択図】図３
2014126580.tif 000002
【特許請求の範囲】
【請求項１】
液晶表示パネルと、
バックライトと、
を有し、
前記バックライトは、前記液晶表示パネルと重なるように配置される導光板と、前記液晶表示パネルと前記導光板の間に配置された光学シートと、前記導光板を内側に収納して前記液晶表示パネルの周縁部に対向するフレームと、前記液晶表示パネルの前記周縁部と前記フレームとを固定する接着剤と、を含み、
前記フレームは、前記液晶表示パネルの前記周縁部に対向する上面と、前記上面と交差する外側面と、前記上面及び前記外側面に貫通する凹部を有し、
前記凹部に前記接着剤が配置されていることを特徴とする液晶表示装置。
【請求項２】
請求項１に記載された液晶表示装置において、
前記液晶表示パネルは、偏光板を含み、
前記フレームは、前記接着剤を介して前記偏光板に固定されていることを特徴とする液晶表示装置。
【請求項３】
請求項１又は２に記載された液晶表示装置において、
前記フレームは、前記外側面とは反対側の内側面を有し、
前記凹部は、前記内側面への貫通を避けるように形成されていることを特徴とする液晶表示装置。
【請求項４】
請求項１から３のいずれか１項に記載された液晶表示装置において、
前記フレームの前記上面の平面形状は、対向する二辺を有し、
前記上面の前記対向する二辺のそれぞれに前記凹部が形成されていることを特徴とする液晶表示装置。
【請求項５】
請求項１から４のいずれか１項に記載された液晶表示装置において、
前記凹部は、前記外側面及び前記上面の少なくとも一方からの深さ方向に、前記深さに直交する大きさが小さくなるように形成されていることを特徴とする液晶表示装置。
【請求項６】
請求項１から４のいずれか１項に記載された液晶表示装置において、
前記凹部は、前記外側面及び前記上面の一方の面からの深さ方向に、前記深さに直交し、且つ前記一方の面とは異なる他方の面に平行な方向の幅が漸次小さくなるように形成されていることを特徴とする液晶表示装置。
【請求項７】
請求項１から４のいずれか１項に記載された液晶表示装置において、
前記凹部は、前記外側面及び前記上面の少なくとも一方からの深さ方向に、前記深さに直交する大きさが大きくなるように形成されていることを特徴とする液晶表示装置。
【請求項８】
請求項１から４のいずれか１項に記載された液晶表示装置において、
前記凹部は、前記外側面及び前記上面の一方の面からの深さ方向に、前記深さに直交し、且つ前記一方の面とは異なる他方の面に平行な方向の幅が漸次大きくなるように形成されていることを特徴とする液晶表示装置。
【請求項９】
請求項１から３のいずれか１項に記載された液晶表示装置において、
前記凹部は、前記上面に、前記液晶表示パネルの外形に沿った方向に延びるように形成されていることを特徴とする液晶表示装置。
【請求項１０】
請求項１から３のいずれか１項に記載された液晶表示装置において、
前記凹部は、前記上面及び前記外側面に、前記液晶表示パネルの外形に沿った方向に延びるように形成されていることを特徴とする液晶表示装置。
【請求項１１】
請求項１又は２に記載された液晶表示装置において、
前記フレームは、前記外側面とは反対側の内側面を有し、
前記凹部は、前記外側面から前記内側面に貫通する第１の部分と、前記上面に前記液晶表示パネルの外形に沿った方向に延びるように溝状に形成され、且つ前記第１の部分と交差する第２の部分とから成ることを特徴とする液晶表示装置。
【請求項１２】
請求項１から１１のいずれか１項に記載された液晶表示装置において、
前記上面と前記液晶表示パネルとは、直に接していることを特徴とする液晶表示装置。
【発明の詳細な説明】
【技術分野】
【０００１】
本発明は、液晶表示装置に関する。
【背景技術】
【０００２】
液晶表示装置のバックライトは、点光源を面光源に変換するための導光板を有し、導光板の端面に対向するように、複数の発光部品が一列に配置されている（特許文献１）。点光源である発光部品から出射した光は、導光板の端面に入射し、反射によって導光板の表面から液晶表示パネルに出射する。発光部品及び導光板は、フレームに収納されている。このようなバックライトは、両面テープによって、液晶表示パネルの画像表示領域の周囲にある額縁とよばれる領域に固定されている（特許文献２）。
【先行技術文献】
【特許文献】
【０００３】
【特許文献１】特開２０１０−６２０１６号公報
【特許文献２】特開２００７−７８９１２号公報
【発明の概要】
【発明が解決しようとする課題】
【０００４】
両面テープは、打ち抜きによって形成されるので幅を狭くするにも限界があり、貼りつけ作業を行うためにも所定以上の幅が必要である。市場では、額縁が狭い液晶表示パネル（狭額縁の液晶表示パネル）の要求が強いが、液晶表示パネルの額縁が狭くなると、液晶表示パネルに両面テープを貼る領域が無くなり、バックライトと液晶表示パネルとを固定、一体化できなくなるという問題が生ずる。
【０００５】
本発明は、狭額縁の液晶表示パネルにバックライトを固定することを目的とする。
【課題を解決するための手段】
【０００６】
（１）本発明に係る液晶表示装置は、液晶表示パネルと、バックライトと、を有し、前記バックライトは、前記液晶表示パネルと重なるように配置される導光板と、前記液晶表示パネルと前記導光板の間に配置された光学シートと、前記導光板を内側に収納して前記液晶表示パネルの周縁部に対向するフレームと、前記液晶表示パネルの前記周縁部と前記フレームとを固定する接着剤と、を含み、前記フレームは、前記液晶表示パネルの前記周縁部に対向する上面と、前記上面と交差する外側面と、前記上面及び前記外側面に貫通する凹部を有し、前記凹部に前記接着剤が配置されていることを特徴とする。本発明によれば、接着剤を使用するので、打ち抜きの必要な両面テープを使用せずに、液晶表示パネルをフレームに固定することができる。また、接着剤を配置する凹部は、フレームの外側面に貫通しているので、液晶表示パネルをフレーム上に配置した後に接着剤を充填することができる
【０００７】
（２）（１）に記載された液晶表示装置において、前記液晶表示パネルは、偏光板を含み、前記フレームは、前記接着剤を介して前記偏光板に固定されていることを特徴としてもよい。
【０００８】
（３）（１）又は（２）に記載された液晶表示装置において、前記フレームは、前記外側面とは反対側の内側面を有し、前記凹部は、前記内側面への貫通を避けるように形成されていることを特徴としてもよい。
【０００９】
（４）（１）から（３）のいずれか１項に記載された液晶表示装置において、前記フレームの前記上面の平面形状は、対向する二辺を有し、前記上面の前記対向する二辺のそれぞれに前記凹部が形成されていることを特徴としてもよい。
【００１０】
（５）（１）から（４）のいずれか１項に記載された液晶表示装置において、前記凹部は、前記外側面及び前記上面の少なくとも一方からの深さ方向に、前記深さに直交する大きさが小さくなるように形成されていることを特徴としてもよい。
【００１１】
（６）（１）から（４）のいずれか１項に記載された液晶表示装置において、前記凹部は、前記外側面及び前記上面の一方の面からの深さ方向に、前記深さに直交し、且つ前記一方の面とは異なる他方の面に平行な方向の幅が漸次小さくなるように形成されていることを特徴としてもよい。
【００１２】
（７）（１）から（４）のいずれか１項に記載された液晶表示装置において、前記凹部は、前記外側面及び前記上面の少なくとも一方からの深さ方向に、前記深さに直交する大きさが大きくなるように形成されていることを特徴としてもよい。
【００１３】
（８）（１）から（４）のいずれか１項に記載された液晶表示装置において、前記凹部は、前記外側面及び前記上面の一方の面からの深さ方向に、前記深さに直交し、且つ前記一方の面とは異なる他方の面に平行な方向の幅が漸次大きくなるように形成されていることを特徴としてもよい。
【００１４】
（９）（１）から（３）のいずれか１項に記載された液晶表示装置において、前記凹部は、前記上面に、前記液晶表示パネルの外形に沿った方向に延びるように形成されていることを特徴としてもよい。
【００１５】
（１０）（１）から（３）のいずれか１項に記載された液晶表示装置において、前記凹部は、前記上面及び前記外側面に、前記液晶表示パネルの外形に沿った方向に延びるように形成されていることを特徴としてもよい。
【００１６】
（１１）（１）又は（２）に記載された液晶表示装置において、前記フレームは、前記外側面とは反対側の内側面を有し、前記凹部は、前記外側面から前記内側面に貫通する第１の部分と、前記上面に前記液晶表示パネルの外形に沿った方向に延びるように溝状に形成され、且つ前記第１の部分と交差する第２の部分とから成ることを特徴としてもよい。
【００１７】
（１２）（１）から（１１）のいずれか１項に記載された液晶表示装置において、前記上面と前記液晶表示パネルとは、直に接していることを特徴としてもよい。
【図面の簡単な説明】
【００１８】
【図１】本発明の実施形態に係る液晶表示装置を示す平面図である。
【図２】図１に示す液晶表示装置のII−II線断面図である。
【図３】図１に示す液晶表示装置のIII−III線断面図である。
【図４】フレームの凹部を示す斜視図である。
【図５】本発明の実施形態に係る液晶表示装置の変形例１を説明するための断面図である。
【図６】変形例１に係る凹部を示す斜視図である。
【図７】本発明の実施形態の変形例２に係る凹部を示す斜視図である。
【図８】本発明の実施形態の変形例３に係る凹部を示す斜視図である。
【図９】本発明の実施形態の変形例４に係る凹部を示す斜視図である。
【図１０】本発明の実施形態の変形例５に係る凹部を示す斜視図である。
【発明を実施するための形態】
【００１９】
以下、本発明の実施形態について図面を参照して説明する。
【００２０】
図１は、本発明の実施形態に係る液晶表示装置を示す平面図である。図２は、図１に示す液晶表示装置のII−II線断面図である。
【００２１】
液晶表示装置は、液晶表示パネル１０を有する。液晶表示パネル１０は、一対の基板１２，１４（いずれも例えばガラス基板）を有し、両者間には図示しない液晶が介在する。一方の基板１２は、図示しない薄膜トランジスタ、画素電極及び配線などを含むＴＦＴ（Thin Film Transistor）基板（又はアレイ基板）であり、他方の基板１４は、図示しないカラーフィルタが形成されたカラーフィルタ基板である。一方の基板１２は、他方の基板１４から突出する突出部を有している。液晶表示パネル１０（詳しくは突出部）には、液晶を駆動するためのドライバ回路を内蔵する集積回路チップ１６が搭載され、外部との電気的接続のためのフレキシブル配線基板１８が取り付けられている。液晶表示パネル１０は、偏光板２０を含む。一対の基板１２，１４のそれぞれに偏光板２０が貼り付けられている。
【００２２】
液晶表示装置は、例えばエッジライト方式のバックライト２２を有する。バックライト２２は、導光板２４を含む。導光板２４は、液晶表示パネル１０と重なるように配置される。導光板２４の表面は、液晶表示パネル１０の裏面に対向している。導光板２４は、液晶表示パネル１０の裏面側で液晶表示パネル１０の端部の下方を避けて配置される。図示しない発光ダイオードなどの複数の発光部品が、導光板２４の端面に対向するように一列に並んで配置される。発光部品は、導光板２４に光を導入するための点光源である。点光源からの光が導光板２４で面光源に変換されて液晶表示パネル１０に照射される。
【００２３】
液晶表示パネル１０と導光板２４の間には光学シート２６が配置されている。光学シート２６は、拡散シート及びプリズムシートなどを含む。また、導光板２４の下（光学シート２６とは反対側）には反射シート２８が配置されている。
【００２４】
バックライト２２は、例えば樹脂からなるフレーム３０を含む。フレーム３０は、導光板２４を内側に収納している。フレーム３０に液晶表示パネル１０が取り付けられている。フレーム３０は、液晶表示パネル１０の周縁部（例えば偏光板２０の端部）に対向する。フレーム３０の上面３２の平面形状は、図１に示すように、対向する二つの辺３４を有する。
【００２５】
図３は、図１に示す液晶表示装置のIII−III線断面図である。フレーム３０は、液晶表示パネル１０の周縁部に対向する上面３２と外側面３６とに貫通する凹部３８を有する。フレーム３０の上面３２において対向する二つの辺３４（図１参照）のそれぞれに凹部３８が形成されている。例えば、１つの辺３４に間隔をあけて一対の凹部３８が形成されている。
【００２６】
図４は、フレーム３０の凹部３８を示す斜視図である。凹部３８は、フレーム３０の外側面３６では、上面３２に隣接する上端から切り欠かれるように形成されている。凹部３８は、外側面３６とは反対側の内側面への貫通を避けるように形成されている。凹部３８によって外側面３６に表れる形状は矩形である。また、凹部３８は、フレーム３０の上面３２では、外側面３６に隣接する側端から切り欠かれるように形成されている。凹部３８によって上面３２に表れる形状は矩形である。凹部３８は、上面３２と同じ方向を向く（上面３２からの深さ方向の底面である）上底面４０と、外側面３６と同じ方向を向く（外側面３６からの深さ方向の底面である）側底面４２と、上底面４０及び側底面４２に交差する内端面４４と、を有する。上底面４０、側底面４２及び内端面４４は相互に直角になるように配置されている。
【００２７】
液晶表示パネル１０（例えば偏光板２０）の周縁部とフレーム３０は接着剤４６によって固定されている。フレーム３０の凹部３８に接着剤４６が配置されている。接着剤４６は、液晶表示パネル１０（例えば偏光板２０）とフレーム３０の凹部３８の内面に接着する。接着剤４６は、図３に示すように、フレーム３０の外側面３６から外方向にはみ出すように設けてもよい。また、接着剤４６は、液晶表示パネル１０（例えば偏光板２０）の周端面に付着するように設けてもよい。
【００２８】
本実施形態によれば、接着剤４６を使用するので、打ち抜きの必要な両面テープを使用せずに、液晶表示パネル１０をフレーム３０に固定することができる。即ち、狭額縁の液晶表示パネル１０で、両面テープを配置する領域がとれなくても、液晶表示パネル１０とバックライト２２を固定、一体化することが可能になる。また、接着剤４６を配置する凹部３８は、フレーム３０の外側面３６に貫通しているので、液晶表示パネル１０をフレーム３０上に配置した後に接着剤４６を充填することができる。尚、上述の通り両面テープを使用する必要がないので、図２に示すように、フレーム３０の上面３２（換言すればフレーム３０の最上面）と液晶表示パネル１０とは、直に接して対向してもよい。
【００２９】
図５は、本発明の実施形態に係る液晶表示装置の変形例１を説明するための断面図である。この例では、凹部１３８の、フレーム１３０の上面１３２から深さ方向の底面が斜めになっている点で上記実施形態とは異なる。
【００３０】
図６は、変形例１に係る凹部１３８を示す斜視図である。凹部１３８の底面は、外側面１３６には弧を描くように表れる。凹部１３８は、フレーム１３０の外側面１３６からの深さ方向に、深さに直交する大きさが小さくなる（深さ方向と直交し、且つ上面１３２と平行な方向の凹部１３８の幅が漸次小さくなる）ように形成されている。そのため、凹部１３８は、上面１３２には三角形を描くように表れる。あるいは、図示を省略するが、凹部は、フレーム１３０の上面１３２からの深さ方向に、深さに直交する大きさが小さくなる（深さ方向と直交し、且つ外側面１３６と平行な方向の凹部１３８の幅が漸次小さくなる）ように形成してもよいし、フレーム１３０の上面１３２及び外側面１３６の両方からの深さ方向に、深さに直交する大きさが小さくなるように形成してもよい。
【００３１】
図７は、本発明の実施形態の変形例２に係る凹部２３８を示す斜視図である。この例では、凹部２３８は、外側面２３６からの深さ方向に、深さに直交する大きさが大きくなる（深さ方向と直交し、且つ上面２３２と平行な方向の凹部２３８の幅が漸次大きくなる）ように形成されている。そのため、凹部２３８は、上面２３２には台形を描くように表れる。詳しくは、上面２３２に表れる台形は、外側面２３６に隣接する外端に位置する上底が反対側の下底よりも短い。あるいは、図示を省略するが、凹部は、上面２３２からの深さ方向に、深さに直交する大きさが大きくなるよう（深さ方向と直交し、且つ外側面２３６と平行な方向の凹部２３８の幅が漸次大きくなる）に形成されていてもよいし、上面２３２及び外側面２３６からの深さ方向に、深さに直交する大きさが大きくなるように形成されていてもよい。
【００３２】
図８は、本発明の実施形態の変形例３に係る凹部３３８を示す斜視図である。この例では、凹部３３８は、外側面３３６とは反対側の内側面に貫通するように形成されている。この例でも、凹部３３８はフレーム３３０の外側面３３６に貫通しているので、液晶表示パネルをフレーム３３０上に配置した後に接着剤を充填することができる。
【００３３】
図９は、本発明の実施形態の変形例４に係る凹部４３８を示す斜視図である。この例では、凹部４３８は、フレーム４３０の外側面４３６からその反対側の内側面に貫通する開口部４４８に加えて、上面４３２に、液晶表示パネル１０（図１参照）の外形に沿った方向に延びる部分（つまり溝部４５０）を有する。溝部４５０は開口部４４８と交差する。図９に示す凹部４３８は、図８に示す凹部３３８に溝部４５０を組み合わせたものであるが、溝部４５０は、上記実施形態又は他の変形例に組み合わせることも可能である。例えば図４に示す、内側面には貫通しない凹部３８に溝部４５０を組み合わせた構成にしてもよい。
【００３４】
図１０は、本発明の実施形態の変形例５に係る凹部５３８を示す斜視図である。この例では、凹部５３８は、上面５３２及び外側面５３６の両方に、液晶表示パネル１０（図１参照）の外形に沿った方向に延びるように形成されている。つまり、上面５３２と外側面５３６との接続部分（二点鎖線で示す）が、液晶表示パネル１０の外形に沿って、連続的に切り欠かれることで凹部５３８が形成されている。この例でも、凹部５３８はフレーム５３０の外側面５３６に貫通しているので、液晶表示パネル１０をフレーム５３０上に配置した後に接着剤を充填することができる。
【００３５】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３６】
１０  液晶表示パネル、１２  基板、１４  基板、１６  集積回路チップ、１８  フレキシブル配線基板、２０  偏光板、２２  バックライト、２４  導光板、２６  光学シート、２８  反射シート、３０  フレーム、３２  上面、３４  辺、３６  外側面、３８  凹部、４０  上底面、４２  側底面、４４  内端面、４６  接着剤、１３０  フレーム、１３２  上面、１３６  外側面、１３８  凹部、２３２  上面、２３６  外側面、２３８  凹部、３３０  フレーム、３３６  外側面、３３８  凹部、４３０  フレーム、４３２  上面、４３６  外側面、４３８  凹部、４４８  開口部、４５０  溝部、５３０  フレーム、５３２  上面、５３６  外側面、５３８  凹部。
【図１】
2014126580.tif 000003
【図２】
2014126580.tif 000004
【図３】
2014126580.tif 000005
【図４】
2014126580.tif 000006
【図５】
2014126580.tif 000007
【図６】
2014126580.tif 000008
【図７】
2014126580.tif 000009
【図８】
2014126580.tif 000010
【図９】
2014126580.tif 000011
【図１０】
2014126580.tif 000012